(57)【要約】【課題】車椅子使用者が心身共に快適に安心して居住できる環境を実現することができる住宅を提供する。【構成】車椅子使用者１５が外部から住宅１内に入る場合には、玄関ポーチ２−１から玄関土間２−２に入り、蔵型階段・踊り場室１０内側のスロープ１０−５を通過し、玄関２のホール２−３における上り框２−４近傍に至ることができる。その過程では、スロープ１０−５には１／１５の昇り勾配はあるものの特に通行の障害となる段差はなく、車椅子使用者１５は車椅子１６に着座したまま特に困難無く住宅１内に入ることができる。【選択図】図１
2008169665.tif 000002
【特許請求の範囲】
【請求項１】
玄関の玄関土間と段差のある第１の床に玄関と隣接して踊り場を介して第二の床に至る階段が設けられ、その階段及び踊り場下方には玄関土間と第１の床とを連絡するスロープが設けられることを特徴とする住宅。
【請求項２】
前記スロープが円弧状部分を有し、その円弧状部分は内周側縁の半径ｒが１ｍ以上となる様に形成されてなる請求項１記載の住宅。
【請求項３】
前記スロープに沿ってガイドレールが設けられる請求項１記載の住宅。
【請求項４】
前記スロープに沿って手すりが設けられる請求項１記載の住宅。
【請求項５】
前記スロープに沿って階段及び踊り場棚が配置されてなる請求項１記載の住宅。
【請求項６】
前記階段及び踊り場棚の端部に手すりが設けられる請求項５記載の住宅。
【発明の詳細な説明】
【技術分野】
【０００１】
本発明は、玄関の玄関土間と段差のある第１の床に玄関と隣接して踊り場を介して第二の床に至る階段が設けられた住宅に関し、特に居住空間内外において車椅子の使用が必要である車椅子使用者が居住するために階段及び踊り場空間の構造に配慮した住宅に関する。
【背景技術】
【０００２】
本格的長寿社会を迎え、高齢者に限らず、保護されるべき被介護者は歩行の困難を補うために車椅子の使用が不可避である場合がしばしばであり、したがって係る被介護者の暮らす住宅は、床の段差を可能な限り小さくすることによって、車椅子の使用を安全かつ容易にする必要がある。
【０００３】
このような要請に向けて本出願人は特許文献１において玄関領域の高低差や段差を可能な限り小さくし、具体的には建物の一階に設けられる玄関の沓みずりと、玄関外側の段差及び沓みずりと玄関土間の段差が具体的に検討され、車椅子での通過も比較的容易にされた住宅を提案した。
【０００４】
【特許文献１】特開２００２−３０９７８４
【発明の開示】
【発明が解決しようとする課題】
【０００５】
特許文献１で提案された住宅にあっては、玄関で靴を脱ぐために腰を下ろす上り框と玄関土間との段差を車椅子で楽に登ることができる様にするためには勾配の緩いスロープを設置する必要があり、係るスロープを設置するための専用スペースを玄関領域に設けることは面積に制約のある一般住宅では容易ではなかった。
【０００６】
したがって本発明は以上の従来技術における問題点に鑑み、面積に制約のある一般住宅における空間の有効利用を図って、車椅子使用者が心身共に快適に安心して居住できる環境を実現することができる住宅を提供することを目的とする。
【課題を解決するための手段】
【０００７】
すなわち本発明の住宅は、玄関の玄関土間と段差のある第１の床に玄関と隣接して踊り場を介して第二の床に至る階段が設けられ、その階段及び踊り場下方には玄関土間と第１の床とを連絡するスロープが設けられることを特徴とする。
【０００８】
前記スロープが円弧状部分を有し、その円弧状部分は内周側縁の半径ｒが１ｍ以上に形成されてなる様にすることができ、しかもこのスロープに沿ってガイドレールや手すりを設ける様にすることができる。
【０００９】
また前記スロープに沿って階段及び踊り場棚を配置し、その階段及び踊り場棚の端部に手すりを設ける様にしても良い。
【発明の効果】
【００１０】
本発明の住宅によれば、踊り場を介して第二の床に至る階段の下方に玄関土間と第１の床とを連絡するスロープが設けられ、このスロープを利用することによって車椅子使用者は容易に上り框と玄関土間との間を安全に上下して玄関からの出入りを行うことができ、一般住宅における空間を有効に活用して車椅子使用者が快適な生活を送ることができる居住環境を実現することができる。
【発明を実施するための最良の形態】
【００１１】
以下に本発明の住宅を実施するための最良の形態につき図面を参照して説明する。
図１及び図２は本発明の第一の実施の形態に係る住宅１の第１の床９と踊り場１１と第２の床１２の一部切り欠き斜視図であり、図３は図１及び図２に示す住宅１の部分拡大斜視図である。図４は図３矢視Ａ図、同じく部分拡大側面図である。図５は図１矢視Ｂ図、図６は図２矢視Ｃ図である。
【００１２】
住宅１からの出入りに供する空間を構成して、蔵型階段・踊り場室１０に隣接される玄関２は、玄関ポーチ２−１と玄関土間２−２と玄関ホール２−３とを有して構成され、玄関土間２−２とホール２−３との境界領域に上り框２−４を具える。
玄関２の玄関ポーチ２−１と玄関土間２−２とに生じる段差は、可能な限り平らにされ、くつずり、すなわちドア（図示せず）の下枠と玄関ポーチ２−１との高低差は２ｃｍ以下、くつずりと玄関土間２−２の高低差は５ｍｍ以下とされている。
【００１３】
この玄関２と隣接して設けられる蔵型階段・踊り場室１０は、玄関２及び居間・食事室６に隣り合う位置に設けられ、その蔵型階段・踊り場室１０内側には、第１の床９と玄関土間２−２とを緩やかな傾斜で連絡するスロープ１０−５が設けられる。
【００１４】
スロープ１０−５には玄関土間２−２から第１の床９に向かって１／１５の昇り勾配であって、これはすなわち第１の床９から玄関土間２−２に向かって３ｍ間で２０ｃｍ低くなる下り勾配が形成される。
スロープ１０−５は円弧状部分１０−５ａを有し、その円弧状部分１０−５ａは内周の半径ｒが１ｍ以上となるように形成されてなる。この円弧状部分１０−５ａはスロープ１０−５の中間領域に設けられる。
【００１５】
また、蔵型階段・踊り場室１０の床より半階高い位置には踊り場１１が設けられ、居間・食事室６には、踊り場１１に上がる階段１３が設けられる。
さらにこの踊り場１１よりも半階上がった位置の第２の床１２には居室１２−１が設けられる。また踊り場１１には、第２の床１２への階段１４が設けられる。
【００１６】
蔵型階段・踊り場室１０にはスロープ１０−５に沿って収納棚１０−６が配置され、かつ収納棚１０−６のスロープ１０−５側の端部に沿って手すり１０−７が設けられる。この手すり１０−７は図に示される様に収納棚１０−６の上面に設けることができ、また図上破線で示す手すり１０−７ａの様に、収納棚１０−６の側端面からスロープ１０−５側に張り出す態様で設けることもできる。さらに図上手すり１０−７ｂとして示す様にスロープ１０−５側縁部分に立設する態様で張り渡すこともできる。
【００１７】
さらに、図４〜図６に示すように蔵型階段・踊り場室１０内則の天井面を形成する踊り場１１の下面側にスロープ１０−５に沿って張り渡す態様で手すり１０−７ｃを設ける様にすることができる。
【００１８】
踊り場１１の高さは玄関土間２−２より半階高くされており、平均的な身長の大人が車椅子に座った状態で蔵型階段・踊り場室１０のスロープ１０−５を移動して車椅子に乗ったまま階段及び踊り場１１に設けられた収納棚１０−６の物品を容易に取り出すことができ、物品の搬入や搬出に不自由はない。一方、踊り場１１に至るための階段１３の上り下りも健常者には特に負担となるものではない。
ここで半階とは、平均的な身長の大人が車椅子に座った状態で蔵型階段・踊り場室１０内を自由に移動することができる高さであって、１，４００ｍｍ以下の高さを標準とする。
この様に蔵型階段・踊り場室１０の天井高は車椅子に乗ったまま手が届く様に低く抑えられている。
【００１９】
以上の実施の形態の住宅１によれば、車椅子使用者１５が外部から住宅１内に入る場合には、玄関ポーチ２−１から玄関土間２−２に入り、玄関土間２−２から蔵型階段・踊り場室１０内側のスロープ１０−５を通過し引き戸（図示せず）を開いて玄関２のホール２−３における上り框２−４近傍に至ることができる。
その過程では、スロープ１０−５には１／１５の昇り勾配はあるものの特に通行の障害となる段差はなく、車椅子使用者１５は車椅子１６に着座したまま特に困難無く住宅１内に入ることができる。
【００２０】
またスロープ１０−５は円弧状部分１０−５ａを有するものの特に方向転換が困難となる角張ったコーナーは有さず、しかも円弧状部分１０−５ａ自体はスロープ１０−５の中間領域に内周の半径ｒが１ｍ以上となる様に形成されてなるので、車椅子使用者１５はスムーズに円弧状部分１０−５ａを通過することができる。
【００２１】
さらにスロープ１０−５に沿って収納棚１０−６が配置され、かつ収納棚１０−６のスロープ１０−５側の端部に沿って手すり１０−７が設けられているので、手すり１０−７を伝っていくことでスロープ１０−５の通過を安全に行うことができるだけでなく、その過程で収納棚に収納してある物を簡便に取得し、若しくは外出に際して携行した物具を簡便に階段及び踊り場１１することができる。さらに、このスロープ１０−５に沿ってガイドレールが設けられた場合には、スロープ１０−５の通過をより安全に行うことができる。
【００２２】
一方、車椅子使用者１５が住宅１内から外部に出る場合には、図６に示されるように、玄関２のホール２−３における上り框２−４近傍から引き戸を開いて蔵型階段・踊り場室１０内側のスロープ１０−５を通過して玄関土間２−２に至り玄関ポーチ２−１から外部に出ることができる。
その過程では、スロープ１０−５には特に通行の障害となる段差はなく、１／１５の下り勾配はあるものの特に危険を生じる下り勾配ではなく、むしろ下り勾配を利用して移動できるため体力消費は少なくなり、車椅子使用者１５には便宜である。
【００２３】
また、スロープ１０−５は中間領域に円弧状部分１０−５ａを有するので、車椅子１６の下降移動の速度はこの円弧状部分１０−５ａで強制的に緩和され、その点からも特に危険のない移動が可能となる。
しかも、スロープ１０−５を通過する過程で収納棚１０−６のスロープ１０−５側の端部に沿って設けられた手すり１０−７を伝っていくことで車椅子使用者１５自身が速度を調整してゆっくりと移動することができ、その点からも安全な移動が可能となる。
【００２４】
さらにスロープ１０−５を通過して安全に外出することができるだけでなく、その過程で収納棚に収納してある防寒具や雨具、さらにはゲートボールを行うための用具など外出する際に必要となる物を車椅子に乗ったまま、簡便に取得して外出することが可能となる。さらに、このスロープ１０−５に沿ってガイドレールが設けられた場合には、スロープ１０−５の通過をより安全に行うことができることは言うまでもない。なお、スロープ１０−５の幅員は車椅子１６による円滑な通行を可能とすると共に、収納棚１０−６における充分な階段及び踊り場１１容量を確保するために８００〜８５０ｍｍとされる。
【図面の簡単な説明】
【００２５】
【図１】本発明の第一の実施の形態に係る住宅の一部切り欠き斜視図である。
【図２】図１に示す実施の形態に係る住宅の別の一部切り欠き斜視図である。
【図３】図１に示す実施の形態に係る住宅の部分拡大斜視図である。
【図４】図３矢視Ａ図である。
【図５】図５は図１矢視Ｂ図である。
【図６】図６は図２矢視Ｃ図である。
【符号の説明】
【００２６】
１・・・住宅、２・・・玄関、２−２・・・玄関土間、２−３・・・玄関ホール、２−４・・・上り框、９・・・第１の床、１１・・・踊り場、１２・・・第２の床、１０・・・蔵型階段・踊り場室、１０−５・・・スロープ、１０−５ａ・・・円弧状部分、１０−６・・・収納棚、１０−７・・・手すり、６・・・居間・食事室、１５・・・車椅子使用者、１６・・・車椅子。
【図１】
2008169665.tif 000003
【図２】
2008169665.tif 000004
【図３】
2008169665.tif 000005
【図４】
2008169665.tif 000006
【図５】
2008169665.tif 000007
【図６】
2008169665.tif 000008